(57)【要約】【課題】簡単な構成で、ロックされた状態でも操作可能な竜頭を提供する。【解決手段】時計１は、竜頭孔１０１に挿通されて巻真に接続される時計操作部５１０、および時計操作部５１０の外方側に回転可能に保持されるロック部５２０、を有する竜頭５００と、時計操作部５１０を軸心方向に沿って進退自在に保持するとともに、竜頭５００の軸心を回転中心として回転可能に設けられ、時計操作部５１０と連動して回転する回転操作部６００と、回転操作部６００の移動を規制するとともに、ロック部５２０と係合可能に設けられ、ロック部５２０が係合された状態で竜頭５００の進退移動を規制するガード部４００と、を具備した。【選択図】図６
2010139400.tif 000002
【特許請求の範囲】
【請求項１】
ムーブメントが内蔵されるとともに、一部に内外を連通する竜頭孔が設けられる外装ケースと、前記竜頭孔に挿通され、軸心を回転中心として回転可能に設けられるとともに、前記ムーブメントに回転力を伝達する竜頭と、を備える時計であって、
前記竜頭は、前記竜頭孔に挿通されて前記ムーブメントに接続される略軸状の時計操作部と、この時計操作部よりも時計外方側に配設され、前記時計操作部と同軸上で回転可能に前記時計操作部に保持されるロック部と、を備え、
当該時計は、
前記時計操作部を軸心方向に沿って進退自在に保持し、かつ前記時計操作部の周方向において前記時計操作部と連動して回転可能な回転操作部と、
前記回転操作部の時計外方側の端面に対向して設けられ、前記回転操作部の移動を規制するとともに、前記ロック部と係合可能なロック係合部を有し、このロック係合部に前記ロック部と係合された状態で前記竜頭の進退移動を規制するガード部と、
を具備したことを特徴とする時計。
【請求項２】
請求項１に記載の時計において、
前記ロック部は、外周面にロックネジ部を備え、
前記ガード部の前記ロック係合部は、前記竜頭が挿通される竜頭挿通孔であり、この竜頭挿通孔の内周面に前記ロックネジ部に係合可能なガードネジ部が形成された
ことを特徴とする時計。
【請求項３】
請求項１または請求項２に記載の時計において、
前記ガード部は、長手状に形成されるとともに、長手方向の両端部が前記竜頭孔を挟んで前記外装ケースに固定され、
前記ガード部の長手方向の中央部、および前記外装ケースの外周面の間に所定隙間寸法の操作開口が形成され、この操作開口に前記回転操作部が配置される
ことを特徴とする時計。
【請求項４】
請求項２または請求項３に記載の時計において、
前記時計操作部は、時計内方側に配設される挿通部と、この挿通部の時計外方側に設けられるとともに、前記ガード部の前記竜頭挿通孔よりも径小に形成される断面非円形状の操作頭部と、を備え、
前記回転操作部は、略筒状に形成されるとともに、筒内周面の断面形状が、前記操作頭部の断面形状と同一形状となる断面非円形状に形成され、
前記操作頭部は、前記回転操作部の筒内周面に挿通されることで、軸心方向に移動可能かつ、前記回転操作部と連動して周方向に回転可能に保持される
ことを特徴とする時計。
【請求項５】
請求項１ないし請求項４のいずれかに記載の時計において、
前記ロック部は、前記軸心に沿って貫通形成される保持孔を備え、
前記時計操作部は、前記ロック部に対向する一端面に、軸方向に沿って形成される雌ネジ部を備え、
前記ロック部から前記時計操作部に向かって前記保持孔を貫通し、前記雌ネジ部に螺合される固定ネジを備えた
ことを特徴とする時計。
【請求項６】
請求項１ないし請求項４のいずれかに記載の時計において、
前記ロック部および前記時計操作部のいずれか一方には、前記竜頭の前記軸心を中心軸とする略円筒状の係合凹部が設けられ、
前記ロック部および前記時計操作部のうち他方には、前記係合凹部に、前記竜頭の前記軸心を回転中心として回転可能に保持される略円筒状の係合凸部が設けられ、
前記係合凹部および前記係合凸部のうち少なくともいずれか一方には、前記係合凸部の軸心方向に沿う進退移動を規制する係止部が設けられる
ことを特徴とする時計。
【請求項７】
請求項１ないし請求項６のいずれかに記載の時計において、
前記竜頭は、前記時計操作部および前記ロック部の間に、前記ロック部を前記時計操作部から離隔する方向に付勢する付勢手段を備えた
ことを特徴とする時計。
【発明の詳細な説明】
【技術分野】
【０００１】
本発明は、ムーブメントの巻真を回転させる竜頭を備えた時計に関する。
【背景技術】
【０００２】
従来、竜頭を備えた時計が知られている。このような時計では、竜頭を回転させることで、竜頭から巻真に介してムーブメントにおける所定の駆動部に回転力が伝達され、例えば指針位置や日付などの各種表示情報を調整したり、ゼンマイの巻き上げを実施したりする。また、竜頭を引き出し状態に応じて回転力の伝達先を変え、複数の機能を調整可能な時計や、不慮の竜頭の回転を防止するために、竜頭を引き出した状態でムーブメントに回転力を伝達可能となる時計などが知られている（例えば、特許文献１参照）。
【０００３】
この特許文献１に記載の時計では、時計の外装ケースに雄ねじ部が形成され、竜頭にこの雄ネジ部に係合可能な雌ねじ部が形成されている。そして、竜頭不使用時には、竜頭の雌ねじ部を外装ケースの雄ネジ部に螺合させて固定させることで、不慮の竜頭引き出しを防止し、誤作動を防止する構成が採られている。
【０００４】
【特許文献１】実開昭５５−１７０６８６号公報
【発明の開示】
【発明が解決しようとする課題】
【０００５】
ところで、ゼンマイを巻き上げることで指針を駆動させるための駆動力を得るゼンマイ時計などにおいては、通常使用時に容易に竜頭を操作することが好ましい。しかしながら、上記特許文献１に記載のような時計では、竜頭が時計の外装ケースに固定されてしまうため、例えば即座にゼンマイの巻き上げを実施したい場合でも、一旦竜頭を引き出すために雌ねじ部と雄ネジ部との螺合状態を解除する必要があり、煩雑な作業が伴う。一方、竜頭が外装ケースにロックされない構成では、上述したように、不慮の竜頭の引き出しなどにより誤作動を招くという問題がある。
【０００６】
本発明では、上述のような問題に鑑み、簡単な構成で、ロックされた状態でも操作可能な竜頭を提供することを目的とする。
【課題を解決するための手段】
【０００７】
本発明の時計は、ムーブメントが内蔵されるとともに、一部に内外を連通する竜頭孔が設けられる外装ケースと、前記竜頭孔に挿通され、軸心を回転中心として回転可能に設けられるとともに、前記ムーブメントに回転力を伝達する竜頭と、を備える時計であって、前記竜頭は、前記竜頭孔に挿通されて前記ムーブメントに接続される略軸状の時計操作部と、この時計操作部よりも時計外方側に配設され、前記時計操作部と同軸上で回転可能に前記時計操作部に保持されるロック部と、を備え、当該時計は、前記時計操作部を軸心方向に沿って進退自在に保持し、かつ前記時計操作部の周方向において前記時計操作部と連動して回転可能な回転操作部と、前記回転操作部の時計外方側の端面に対向して設けられ、前記回転操作部の移動を規制するとともに、前記ロック部と係合可能なロック係合部を有し、このロック係合部に前記ロック部と係合された状態で前記竜頭の進退移動を規制するガード部と、を具備したことを特徴とする。
【０００８】
この発明では、竜頭は、時計操作部とロック部との２部構成で構成されており、ロック部が時計操作部に回転可能に保持されている。このため、時計操作部は、ロック部がガード部にロックされた状態でも回転中心軸を中心として回転可能となる。また、この時計操作部には、回転操作部が係合されているため、この回転操作部を回転させることで、ロック部がガード部にロックされた状態でも、時計操作部を回転させることが可能となる。さらに、ガード部は、竜頭のロック部をロックし、進退を規制するだけでなく、回転操作部の進退も規制するため、回転操作部が抜け落ちたりする不都合もない。
以上により、竜頭のロック部をガード部に係合させることで、容易に竜頭の引き出しをロックできる。また、竜頭がロックされた状態でも、回転操作部を操作することで時計操作部を回転させることが可能であり、例えば竜頭の回転によりゼンマイを巻き上げるゼンマイ式時計などにおいても、簡単な操作でゼンマイの巻き上げを実施することができる。
さらに、竜頭の突出先端と時計の外装ケースとの間にガード部や回転操作部が設けられる従来にはない新しいデザインを提供することができ、意匠性の向上を図ることができる。
【０００９】
本発明の時計では、前記ロック部は、外周面にロックネジ部を備え、前記ガード部の前記ロック係合部は、前記竜頭が挿通される竜頭挿通孔であり、この竜頭挿通孔の内周面に前記ロックネジ部に係合可能なガードネジ部が形成されることが好ましい。
【００１０】
この発明では、ロック部は、ガード部の竜頭挿通孔の内周面に形成されるガードネジ部にロックネジ部を螺合させることで、ガード部にロックされる。これにより、簡単な構成で、ロック部のロック機構を構成することができる。また、ロック部を回転させることで、ロック部の引き出し状態を段階的に変更することもできる。このような構成では、竜頭を回転操作した際に回転力が伝達される伝達先を、竜頭の引き出し状態により変更することで、複数の時計機能の調整が可能となる。
【００１１】
本発明の時計では、前記ガード部は、長手状に形成されるとともに、長手方向の両端部が前記竜頭孔を挟んで前記外装ケースに固定され、前記ガード部の長手方向の中央部、および前記外装ケースの外周面の間に所定隙間寸法の操作開口が形成され、この操作開口に前記回転操作部が配置されることが好ましい。
【００１２】
このような構成では、ガード部の構成を簡単にできるとともに、回転操作部を配置する操作開口を容易に確保することができる。また、回転操作部の時計外方側に、外装ケースに固定されるガード部が設けられる構成となるため、より簡単な構成で回転保持部の軸心方向に沿う移動を規制することができる。
【００１３】
本発明の時計では、前記時計操作部は、時計内方側に配設される挿通部と、この挿通部の時計外方側に設けられるとともに、前記ガード部の前記竜頭挿通孔よりも径小に形成される断面非円形状の操作頭部と、を備え、前記回転操作部は、略筒状に形成されるとともに、筒内周面の断面形状が、前記操作頭部の断面形状と同一形状となる断面非円形状に形成され、前記操作頭部は、前記回転操作部の筒内周面に挿通されることで、軸心方向に移動可能かつ、前記回転操作部と連動して周方向に回転可能に保持されることが好ましい。
【００１４】
この発明によれば、竜頭のロック部がガード部から外れた状態、すなわちロックが解除された状態において、時計操作部が挿通部の軸方向に沿って移動可能となる。この時、操作頭部外径寸法、すなわち、軸心に直交する断面の外接円の径寸法が、竜頭挿通孔よりも径小に形成されているため、操作頭部を、竜頭挿通孔を通して引き出すことができる。このため、竜頭の引き出し量として、十分な寸法を確保することができ、例えば竜頭を多段に引き出すことで竜頭の回転力の伝達先を変更する場合などにおいて、より多機能な表示情報を調整することができる。また、操作頭部の外周断面が非円形状に形成され、回転操作部の内周断面形状が、この操作頭部の断面形状を同一形状に形成されるため、操作頭部を回転操作部の内周部に挿通させるだけの簡単な構成で、時計操作部を軸心方向に移動可能に保持し、かつ回転操作部と連動させて回転させることができる。
【００１５】
本発明の時計では、前記ロック部は、前記軸心に沿って貫通形成される保持孔を備え、前記時計操作部は、前記ロック部に対向する一端面に、軸方向に沿って形成される雌ネジ部を備え、前記ロック部から前記時計操作部に向かって前記保持孔を貫通し、前記雌ネジ部に螺合される固定ネジを備えることが好ましい。
【００１６】
この発明によれば、固定ネジは、保持孔を貫通するのみであるため、ロック部が時計操作部に対して回転可能に保持される。したがって、固定ネジを用いた簡単な構成により２部構成となる竜頭を構成することができる。
【００１７】
本発明の時計では、前記ロック部および前記時計操作部のいずれか一方には、前記竜頭の前記軸心を中心軸とする略円筒状の係合凹部が設けられ、前記ロック部および前記時計操作部のうち他方には、前記係合凹部に、前記竜頭の前記軸心を回転中心として回転可能に保持される略円筒状の係合凸部が設けられ、前記係合凹部および前記係合凸部のうち少なくともいずれか一方には、前記係合凸部の軸心方向に沿う進退移動を規制する係止部が設けられることが好ましい。
【００１８】
この発明によれば、回転中心軸に沿って、ロック部および時計操作部の一方に係合凹部、他方に係合凸部が設けられ、これら係合凹部および係合凸部が回転可能に係合することにより、ロック部が時計操作部に回転可能に保持され、また、係止部により係合凸部の抜け止めを防止できる。このような構成でも、簡単な構成でロック部を時計操作部に保持させることが可能となる。
【００１９】
本発明の時計では、前記竜頭は、前記時計操作部および前記ロック部の間に、前記ロック部を前記時計操作部から離隔する方向に付勢する付勢手段を備えることが好ましい。
【００２０】
この発明によれば、ロック部は、付勢手段により、時計操作部から離れる方向に付勢されている。このため、ロック部と時計操作部との間の隙間によるガタを良好に防止することができる。また、ロック部がガード部にロックされている状態で、時計操作部がムーブメント側に付勢され、時計操作部のがたつきも防止できる。
【発明を実施するための最良の形態】
【００２１】
〔第一実施形態〕
以下、本発明の第一実施形態の時計について説明する。なお、以降の説明において、既に説明した構成と同様の構成については、同一符号を付して、説明を省略もしくは簡略化する。
なお、本実施形態において、時計としてゼンマイの駆動力を用いて駆動するゼンマイ式機械時計を例示するが、これに限定されず、例えばムーブメントに搭載される電池の駆動力により駆動される電子制御時計などにおいても、本発明を適用することができる。
【００２２】
〔時計の基本機構〕
本実施形態の時計の基本機構に係る構成について簡略に説明する。
図１は、第一の実施の形態の時計の平面図である。
図１において、時計は、略筒状の外装ケース１０と、外装ケース１０の一端面に固定される風防１１と、風防１１を介して視認可能な文字板１２と、時刻を表示する指針１３，１４，１５と、外装ケース１０の内部に収納され、指針１３，１４，１５を駆動するムーブメント２０とを備えている。また、外装ケース１０の側面には、外装ケース１０の内外を貫通する竜頭５００を備えた操作手段３００が設けられている。
【００２３】
〔ムーブメントの構成〕
図２ないし図５は、第一の実施の形態の時計の縦断面図である。
本実施形態の時計のムーブメント２０は、動力源であるゼンマイを格納する香箱車２１（図２）と、各番車２２〜２６（図２〜図５）と、ローター２７を有して構成される発電機３０（図４）と、発電機３０からの電力供給により駆動する図示しない回路基板とを備えている。
香箱車２１や各番車２３〜２６、ローター２７は、地板２０１と輪列受２０２とに支持されている。二番車２２は地板２０１と二番受２０３とに支持されている。地板２０１には文字板１２が取り付けられている。
【００２４】
香箱車２１は、図２に示すように、ゼンマイ２１１、香箱歯車２１２、香箱真２１３および香箱蓋２１４を備えている。ゼンマイ２１１は、外端が香箱歯車２１２に固定され、内端は香箱真２１３に固定されている。香箱真２１３は、角穴ネジ２１５によって地板２０１に固定され、内端側車としての角穴車２１６と一体で回転する。そして、香箱車２１に格納されるゼンマイ２１１のトルクは、香箱歯車２１２を介して二番車２２に出力される。
【００２５】
そして、香箱車２１から出力されるトルクは、二番車２２（図２）から、三番車２３（図３）、四番車２４（図２）、五番第一中間車２５Ａ（図２）、五番第二中間車２５Ｂ（図２）、五番車２５（図４）、六番車２６（図４）、およびローター２７（図４）に順次伝達される。
【００２６】
また、上記二番車２２からローター２７までの各歯車は、指針１３，１４，１５を駆動する駆動輪列を構成している。図２に示すように、二番車２２に固定された筒かな２０４（図２、図３）には分針１４が固定されており、四番車２４には秒針１３が固定されている。また、筒かな２０４の回転は、日の裏車２０５を介して１／１２に減速されて筒車２０６に伝達される。この筒車２０６には、時針１５が固定されている。
【００２７】
発電機３０は、図４に示すように、軸周りに永久磁石３１が固定されたローター２７と、ステータ部３２および巻線部３３（図３）を有するコイルブロック３４とを備えている。ローター２７は、ローターかな２７１と、永久磁石３１と、ローター２７の回転数変動を抑制するための円形状の慣性板２７２とを有している。
【００２８】
図示しない回路基板に実装された電子回路は、発電機３０からの電力供給によって駆動される。この電子回路により、正確な時間標準が作られ、この時間標準に基づいてローター２７の回転が制御される。
電子回路は、発電機３０からの交流出力を昇圧および整流する昇圧整流回路、整流された電力を充電するコンデンサ、時間標準を作る水晶発振回路および分周回路、発電波形からローター２７の回転を検出する回転検出回路、時間標準とローター２７の回転とを比較する回転数比較回路、回転数比較結果に基づいて電磁ブレーキの時間間隔を制御する電磁ブレーキ制御回路などを含んで構成されている。
電磁ブレーキ制御回路は、回転数比較回路による比較結果に基づいてコイルブロック３４をショートする電磁ブレーキの時間間隔を制御する。この電磁ブレーキの制動力によって、発電機３０の回転周期は一定に保たれる。つまり、電磁ブレーキが必要となる速度でローター２７を回転させるゼンマイのトルク領域でのみ、駆動輪列の回転速度が一定となり、時針１５、分針１４、および秒針１３が正確に運針される。
以上のように、本実施の形態の時計１では、ゼンマイ２１１の機械エネルギーにより駆動輪列および指針が駆動されるとともに、ゼンマイ２１１の機械エネルギーの一部が変換された電気エネルギーにより調速が行われる。
【００２９】
また、ムーブメント２０は、竜頭５００に接続される巻真４１を備えている。この巻真４１は、竜頭５００の引き出し状態に応じて、例えば竜頭５００が時計１の内部側に押し込まれている状態では、香箱車２１に接続され、例えば竜頭が時計１の外部側に引き出された状態では、筒かな２０４に接続される。そして、巻真４１は、竜頭５００から伝達される回転力をこれらゼンマイ２１１や筒かな２０４に伝達する。
以下、図５を参照して、巻真４１の駆動力の伝達機構の一例として、巻真４１からの駆動力をゼンマイ２１１に伝達する構成を説明する。
図５に示すように、巻真４１は、先端につづみ車４２が係合されている。ここで、このつづみ車４２は、方形状の係合孔を備え、巻真４１の先端は、係合孔の形状に応じて方形状に形成されている。これにより、巻真４１が所定方向に回転すると、つづみ車４２も連動して回転する。
また、つづみ車４２に伝達された回転駆動力は、キチ車４３、丸穴車４４、角穴第一中間車４５、角穴第二中間車４６を介して角穴車２１６に伝達され、この角穴車２１６の回転により香箱真２１３（図２）が回転し、ゼンマイ２１１が巻上げられる。
【００３０】
〔操作手段の構成〕
次に、外装ケース１０に設けられる操作手段３００の構成を図６および図７に基づいて説明する。図６は、時計の操作手段近傍において、竜頭がロックされた状態を示す縦断面図である。図７は、時計の操作手段近傍において、竜頭がロック解除された状態を示す縦断面図である。
操作手段３００は、時計１の３時方向に設けられている。そして、この操作手段３００は、外装ケース１０に固定されるガード部４００と、外装ケース１０の内外を貫通して設けられる竜頭５００と、竜頭を操作する回転操作部６００とを備えている。
竜頭孔１０１には、円筒状のパイプ１０３が嵌挿され、竜頭５００は、このパイプ１０３に挿通されている。また、パイプ１０３は、竜頭孔１０１の内周面との間にパッキン６１が設けられ、このパッキン６１により時計１の防水性が保たれている。
【００３１】
ガード部４００は、図１に示すように、長手方向を有するブリッジ状に形成されている。このガード部４００の両端足４０１は、それぞれ外装ケース１０に３時方向に形成される竜頭孔１０１を挟んで配置されるとともに、外装ケース１０の外周面に例えばネジ止めなどにより固定されている。なお、ガード部４００がネジ止めにより固定される例を示すが、例えば、溶接などにより固定されていてもよく、さらには、外装ケース１０に一体形成されている構成などとしてもよい。
そして、ガード部４００の略中央部には、外装ケース１０の外周面との間に所定隙間寸法の操作開口４２０を介して設けられる移動規制部４１０が形成されている。また、この移動規制部４１０には、図２に示すように、時計１の中心点から竜頭孔１０１の中心点を結ぶ直線Ａ（図１、６，７参照）と交差する位置に、竜頭５００が挿通可能な孔径を有するロック係合部としての竜頭挿通孔４１１が開口形成されている。そして、この竜頭挿通孔４１１の内周面には、周方向に沿ってガードネジ部４１２（雌ねじ）が形成されている。
【００３２】
竜頭５００は、図６，７に示すように、時計操作部５１０と、ロック部５２０との２部材により構成され、直線Ａを回転中心軸として互いに相対回転可能に設けられている。
時計操作部５１０は、竜頭５００の時計１内部側に設けられ、パイプ１０３を挿通して、巻真４１に接続される。より具体的には、時計操作部５１０は、パイプ１０３に挿通される挿通部５３０と、挿通部５３０の時計外方側に一体形成される操作頭部５４０とを備えている。
【００３３】
挿通部５３０は、上記したように、パイプ１０３に挿通されるとともに、ムーブメント側先端部において、巻真４１が連結接続されている。巻真４１の連結方法としては、挿通部５３０の先端面中心位置に断面非円形となる嵌合孔を形成し、この嵌合孔に巻真４１の先端に形成した、嵌合孔の断面形状と同一形状の嵌合部を圧入させる。なお、巻真の連結方法としては、これに限定されず、例えば、挿通部５３０に設けたネジ孔に、巻真を螺合させる構成など、その他の構成であってもよい。また、挿通部５３０とパイプ１０３との間には、例えばパッキンなどの防水部材５３１が設けられ、時計１の内部の防水性が確保されている。
【００３４】
操作頭部５４０は、前記挿通部５３０の時計１の外方側に一体形成されている、この操作頭部５４０は、時計１の内方側に延出するブロック状の操作受部５４１と、挿通部５３０の延長上に設けられて、ロック部５２０と接続されるロック接続部５４３とを有している。
操作受部５４１は、時計１の内方側の端面に、中心軸に挿通部５３０が延出する環状凹部５４２が設けられている。この環状凹部５４２は、内周面においてパイプ１０３の外周面に摺接し、これにより環状凹部５４２の内周面と挿通部５３０とによりパイプ１０３が挟みこまれる。また、この環状凹部５４２とパイプ１０３との間には、Ｃリング６２により位置決めされる樹脂性リング部材６３が設けられ、挿通部５３０のガタの防止、および防水性が確保されている。
そして、操作受部５４１は、直線Ａに直交する断面形状が、例えば正六角形、楕円形状、トラック形状などの非円形に形成されている。また、この操作受部５４１の断面形状における外接円の径寸法は、ガード部４００の竜頭挿通孔４１１の内周径寸法よりも小さく形成されており、竜頭５００が時計１の外方に引き出された際に、操作受部５４１が竜頭挿通孔４１１内を通過して引き出し可能となる。
【００３５】
ロック接続部５４３は、図６および図７に示すように、ロック部５２０に向かって突出する円柱状に形成されている。このロック接続部５４３の端面には、直線Ａに沿って雌ネジ部５４４が形成されている。
【００３６】
ロック部５２０は、ロック接続部５４３が挿入される接続筒部５２１と、接続筒部５２１の端面に一体形成され、ガード部４００の外方に配置される竜頭頭部５２２とを備えている。
接続筒部５２１は、外周面にロックネジ部５２３（雄ネジ）が形成されており、このロックネジ部５２３は、前述したガード部４００のガードネジ部４１２に螺合可能に設けられている。
【００３７】
竜頭頭部５２２は、直線Ａに直交する断面寸法が、竜頭挿通孔４１１よりも径大となるように形成されている。また、竜頭頭部５２２は、直線Ａに沿って、時計外方からロック接続部５４３に向かって貫通形成される所定径寸法の保持孔５２４を備えている。そして、この保持孔５２４には、竜頭頭部５２２の外側から時計操作部５１０に向かって固定ネジ５５０が挿通される。この固定ネジ５５０は、ネジ頭部５５１と、円柱状の摺接部５５２と、摺接部５５２の先端に設けられる雄ネジ５５３とを有し、雄ネジ５５３がロック接続部５４３の雌ネジ部５４４に螺合されている。そして、摺接部５５２の外周面は、保持孔５２４に摺接し、ネジ頭部５５１により竜頭頭部５２２の抜け止めを防止している。この構成により、ロック部５２０は、時計操作部５１０に対して、直線Ａを回転中心軸として、回転可能に保持される。
【００３８】
また、ロック接続部５４３の外周面と、接続筒部５２１の内周面との間には、所定寸法の隙間５４５が形成され、この隙間５４５の延長上で竜頭頭部５２２のロック接続部５４３側端面には、リング状のロック部側ばね設置凹部５２５が形成されている。そして、このロック部側ばね設置凹部５２５と操作受部５４１との間の隙間５４５には、前記付勢手段としてのコイルスプリング５６０が配置され、時計操作部５１０およびロック部５２０が互いに離隔する方向に付勢されている。
【００３９】
回転操作部６００は、直線Ａを中心とした筒形状に形成され、この直線Ａを回転中心軸として回転可能に保持されている。
具体的には、回転操作部６００は、パイプ１０３の外周径寸法と略同一径寸法に形成される回転保持部６１０と、回転保持部６１０の時計１の外方側に一体形成される操作駆動部６２０とを備えている。
【００４０】
回転保持部６１０は、筒内周面がパイプ１０３に摺接し、外装ケース１０に回転可能に保持されている。より具体的には、外装ケース１０の外周面には、竜頭孔１０１と同軸上で、竜頭孔１０１よりも径大となる回転保持凹部１０２が形成されている。また、回転保持部６１０は、時計１の内部側に突出し、回転保持凹部１０２と略同一径寸法に形成される円筒形状の挿入保持部６１１を備えている。そして、回転操作部６００は、挿入保持部６１１が、回転保持凹部１０２に係合されることで、外装ケース１０に回転可能に保持される。
また、回転保持部６１０の内周面には、Ｃリング６１２により位置決めされる樹脂性リング部材６１３が設けられている。この樹脂性リング部材６１３は、内周部がパイプ１０３の外周面に当接することで、回転保持部６１０のガタを防止するとともに、防水性を確保している。
【００４１】
操作駆動部６２０は、回転保持部６１０の時計１の外方側に一体形成されている。この操作駆動部６２０の内周面６２１は、操作頭部５４０の操作受部５４１の断面形状と略同一形状に形成されており、例えば多角形状、楕円形状、トラック形状などの非円形状に形成されている。そして、この操作駆動部６２０の内周部に、時計操作部５１０の操作受部５４１が挿通されることで、回転操作部６００と時計操作部５１０とが連動して回転可能、かつ時計操作部５１０を軸心方向に沿って進退自在に保持することが可能となる。
また、操作駆動部６２０の外方側端面は、ガード部４００の移動規制部４１０に僅かな隙間寸法を開けて対向しており、これより、回転操作部６００の時計１の外方側への移動が規制される。
そして、上記のような操作駆動部６２０は、ガード部４００の移動規制部４１０と外装ケース１０との間に形成された操作開口４２０に臨んで配置される操作面６２２を備えており、外部からこの操作面６２２を回動操作することで、時計操作部５１０が回動される。また、この操作開口４２０から臨む操作面６２２は、時計１の内方側から外方側に向かうに従って、断面径寸法が小さくテーパ状に形成され、時計１の外装ケース１０から操作面６２２、ガード部４００の移動規制部４１０に亘って、滑らかなカーブを描く曲線形状に形成されている。
【００４２】
〔時計の操作〕
次に上記のような時計１の操作方法について、説明する。
時計１では、竜頭５００を操作することで、上述したゼンマイ２１１の巻き上げや、指針１３，１４，１５の位置修正を実施することができる。本実施の形態の時計１では、竜頭５００が押し込まれた状態でゼンマイ２１１の巻き上げ操作を、また竜頭５００が引き出された状態で指針１３，１４，１５の位置修正を実施することができるものとする。
【００４３】
ゼンマイの巻き上げ操作には、時計１の利用者は、まず、竜頭５００のロック部５２０を時計１の内方側に押し込みながら回転させ、竜頭５００のロック部５２０のロックネジ部５２３をガード部４００に形成されたガードネジ部４１２に螺合させる。これにより、竜頭５００がガード部４００にロックされた状態となり、竜頭５００の軸心に沿う移動が規制される。この時、ロック部５２０回転が規制されるが、時計操作部５１０はロック部５２０に対して回転自在となるため、回転操作部６００を回動させることで、時計操作部５００も連動して回動可能となる。
【００４４】
そして、竜頭５００により巻真４１が押し込まれた状態では、巻真４１は、つづみ車４２、キチ車４３、丸穴車４４、角穴第一中間車４５、および角穴第二中間車４６を介して角穴車２１６に接続される。この状態で回転操作部６００を回転させると、時計操作部５１０が連動して回転し、回転力が巻真４１から角穴車２１６に伝達され、香箱真２１３（図２）が回転し、ゼンマイ２１１が巻上げられる。
【００４５】
一方、竜頭５００のロック部５２０を回動させて、ガードネジ部４１２とロックネジ部５２３の係合を解除すると、竜頭５００が時計外方側に引き出される。この状態では、巻真４１は、分針１４の駆動を制御する筒かな２０４に接続される。
そして、この状態で回転操作部６００を回転させると、回転操作部の回転に連動して時計操作部５１０が回転し、巻真４１から筒かな２０４に回転力が伝達される。これにより、分針１４の位置調整が可能となる。
指針の位置調整が終了すると、再び竜頭５００を押し込みながら回転させることで、ロック部５２０がガード部４００にロックされ、竜頭５００の不慮の引き出しが防止される状態となる。
【００４６】
〔第一の実施の形態の作用効果〕
上述したように、上記実施の形態の時計１では、竜頭５００が、時計操作部５１０と時計操作部５１０よりも時計外側に設けられるロック部５２０とを備え、これらの時計操作部５１０およびロック部５２０は相対的に回転可能に設けられている。そして、時計操作部５１０における操作頭部５４０の操作受部５４１は、直線Ａに直交する断面形状が非円形状に形成され、この操作受部５４１の断面形状と同一断面形状の内周面を有する回転操作部６００が係合されている。また、外装ケース１０に固定されるガード部４００は、回転操作部６００の時計１外方側に設けられ、さらに、ガード部４００の竜頭挿通孔４１１により、ロック部５２０をロック可能な構成となっている。
このため、竜頭５００のロック部５２０をガード部４００にロックした状態では、不慮の竜頭５００の引き出しを防止することができ、時計１の誤操作を防止することができる。また、竜頭５００がロック部５２０にロックされた状態でも、回転操作部６００を回転させることで、時計操作部５１０を連動させて回転させることができ、その回転力をムーブメントに伝達させることができる。この時、竜頭５００がロックされた状態で回転操作部６００の操作により調整可能となる時計機能としては、上記実施の形態に示したゼンマイ２１１の巻き上げ機能などのように、不慮の竜頭５００の回転による影響が少ない機能、頻繁に操作を実施するために、毎回竜頭５００のロックを解除する作業が発生する場合では煩雑となる機能などを割り当てることが好ましい。このような機能を竜頭５００のロック状態で操作可能とすることで、時計１の操作の煩雑さを解消することができ、操作性の向上を図ることができ、かつ不慮の竜頭の引き出しによる誤操作をも防止することができる。
また、回転操作部６００がガード部４００と外装ケース１０との間に配置され、ガード部４００の外方側に、竜頭５００の一部であるロック部５２０が配置される構成とすることで、従来にない時計デザインを提供することができ、意匠性に優れた時計１を提供することができる。
【００４７】
また、ガード部４００の竜頭挿通孔４１１の内周面にガードネジ部４１２が形成され、ロック部５２０の外周面には、ロックネジ部５２３が形成されている。
このため、ロック部５２０を押し込んで回転させるだけで、ロックネジ部５２３をガードネジ部４１２に螺合させ、容易にロック状態にすることができ、またロック解除時にもロック部５２０を回動させるだけでロック解除することができる。
また、上述した実施形態では、ロック部５２０がロックされた状態と、ロック解除された状態との２段階で、巻真４１の駆動力伝達先を変更する構成としたが、例えば、竜頭５００の引き出し状態で、巻真４１の駆動力伝達先を３段以上に分ける場合、ロック部５２０の螺合状態を変えることで容易に竜頭５００の引き出し状態を変更することができ、操作性を向上させることができる。
【００４８】
また、ガード部４００は、長手状に形成され、長手方向の両端足４０１が外装ケース１０に固定されている。そして、ガード部４００の中央部に移動規制部４１０が形成され、この移動規制部４１０と外装ケース１０との間に操作開口４２０が形成され、操作開口４２０に回転操作部６００が配置されている。このため、簡単な構成でガード部４００による回転操作部６００の移動規制を実施でき、回転操作部６００の抜け落ちやガタを防止することができる。
【００４９】
さらに、竜頭５００を構成する時計操作部５１０は、操作頭部５４０における操作受部の断面形状が非円形状に形成され、この断面形状の外接円の径寸法が、ガード部４００の竜頭挿通孔４１１の内径寸法よりも小さく形成されている。
このため、ロック部５２０のロックが解除され、竜頭５００が時計１の外方側に引き出された場合でも、図７に示すように、時計操作部５１０が竜頭挿通孔４１１を通過することができ、巻真の回転力伝達先を変更するための十分な引き出し量を確保することができる。
さらには、回転操作部６００の操作駆動部６２０は略筒状に形成され、筒内周面６２１における断面形状が、操作受部の断面形状と同一である非円形状に形成され、この操作駆動部６２０の筒内周部に操作受部５４１が挿通されている。このため、操作受部５４１を操作駆動部６２０に挿通させるだけの簡単な構成で、時計操作部５１０を軸心方向に沿って進退移動可能、かつ、時計操作部５１０と回転操作部とを連動させて、軸心を回転中心軸として回転可能に保持することができる。
【００５０】
そして、竜頭５００には、時計操作部５１０とロック部５２０との間に、付勢手段であるコイルスプリング５６０が設けられている。
このため、時計操作部５１０およびロック部５２０は互いに離隔する方向に付勢される。したがって、ロック部５２０がガード部４００にロックされている状態では、時計操作部５１０が時計内方側に付勢されることで、時計操作部５１０のガタを防止することができる。
【００５１】
また、回転操作部６００の操作面６２２は、時計１の内方側から外方側に向かうに従って、断面径寸法が小さくテーパ状に形成されている。このため、外観上の意匠性を向上させることができるとともに、回転操作部６００の操作感を向上させることができる。
【００５２】
さらに、回転操作部６００の回転保持部６１０には、Ｃリング６１２により位置決めされる樹脂性リング部材６１３が設けられている。また、操作頭部５４０とパイプ１０３の間にも同様に、Ｃリング６２により位置決めされる樹脂性リング部材６３が設けられている。このため、回転操作部６００の直線Ａに直交する方向へのガタ、および竜頭５００の直線Ａに直交する方向へのガタを良好に防止することができ、操作性をより向上させることができる。
【００５３】
〔第二の実施の形態〕
次に、本発明に係る第二の実施の形態の時計１Ａについて説明する。
第二の実施の形態の時計１Ａは、固定ネジ５５０を用いていない点で、第一の実施の形態の時計１における竜頭５００と異なる構成が採られている。なお、時計１Ａに格納されるムーブメント２０、ガード部４００の構成、回転操作部６００の構成は、上記第一の実施の形態と同様であるため、ここでの説明は省略する。
図８は、第二の実施の形態の時計１Ａにおける竜頭５００Ａの近傍の構成を示す縦断面図である。
【００５４】
竜頭５００Ａは、第一の実施の形態の竜頭５００と同様に、時計操作部５１０Ａとロック部５２０Ａとを備えている。
時計操作部５１０Ａは、第一の実施の形態の時計操作部５１０と同様に、時計１Ａ内部側に設けられ、巻真４１に接続される。この時計操作部５１０Ａは、図８に示すように、ロック部５２０Ａに向かって突出する円柱状のロック接続部５４３Ａを備えている。このロック接続部５４３Ａには、外周面に周方向に沿って係合凸部５４６が形成されている。
【００５５】
一方、ロック部５２０Ａは、第一の実施の形態のロック部５２０と同様に、ロック接続部の円柱外周面に摺接する接続筒部５２１Ａと、接続筒部５２１Ａの端面に一体形成され、ガード部４００の外方に配置される竜頭頭部５２２とを備えている。
接続筒部５２１Ａは、外周面にロックネジ部５２３（雄ネジ）が形成されており、このロックネジ部５２３は、前述したガード部４００のガードネジ部４１２に螺合可能に設けられている。また、接続筒部５２１Ａは、筒内周面に、周方向に沿って係合凸部５４６と係合する係合凹部５２６を備え、この係合凹部５２６の時計１内方側に、係合凸部５４６の抜け落ちを防止する係止部としての係止突起５２７が形成されている。
このような竜頭５００Ａでは、時計操作部５１０Ａのロック接続部５４３Ａを、ロック部５２０Ａの接続筒部５２１Ａ内に打ち込むことで、係合凸部５４６を係合凹部５２６に嵌め込んで形成することができる。
【００５６】
〔第二の実施の形態の作用効果〕
上記のような第二の実施の形態の時計１Ａでは、上述した第一の実施の形態の時計１の作用効果に加え、次の効果を奏することができる。すなわち、時計１Ａでは、竜頭５００Ａは、ロック接続部５４３Ａと接続筒部５２１Ａ内に打ち込んで嵌め込むことで形成される。このため、第一の実施の形態にて示したような保持孔５２４、雌ネジ部５４４、固定ネジ５５０が不要となり、より構成を簡単にできるとともに部品点数も少なくでき、コストの低減、製造工程の低減を図ることができる。
【００５７】
［他の実施の形態］
なお、本発明は前述の実施形態に限定されるものではなく、本発明の目的を達成できる範囲での変形、改良等は本発明に含まれるものである。
【００５８】
例えば、上記実施の形態では、竜頭５００が押し込まれ、ガード部４００にロック部５２０がロックされた状態と、ロック部５２０のロックが解除され、竜頭５００が引き出された状態とで、それぞれ回転操作部６００の回転力の伝達先が異なる時計１、すなわちロック状態では、ゼンマイ２１１を巻き上げ、ロック解除状態では指針１３，１４，１５を調整が可能な時計１を例示したが、これに限定されない。
例えば、上述したように、ロック部５２０とガード部４００との螺合状態に応じて、さらに複数の機能を割り当てる構成としてもよい。例えば、ロック部５２０がロックされた状態、ロックネジ部５２３とガードネジ部４１２の螺合状態が変化し、ロック部５２０が僅かに引き出された状態、ロック部がさらに引き出された状態、ロック部が完全に引き出され、ロックが解除された状態など、３段階以上の状態に分け、これらの状態に応じて、例えば秒針１３の調整、分針１４の調整、時針１５の調整、日車の調整が実施可能な構成としてもよい。
【００５９】
また、上記実施の形態では、竜頭５００がロックされた状態で、ゼンマイ２１１の巻き上げを実施可能、竜頭５００が引き出された状態で、指針１３，１４，１５の位置調整を実施可能としたが、これに限定されず、例えば日車の位置調整など、その他の機能を実施する構成としてもよい。
【００６０】
さらに、第一の実施の形態において、付勢手段としてコイルスプリング５６０を例示したが、これに限定されず、例えば合成樹脂性の弾性部材を設ける構成などとしてもよい。
さらには、第二の実施の形態においても、第一の実施の形態と同様に、ロック部５２０と時計操作部５１０との間にコイルスプリング５６０などの付勢手段を設ける構成としてもよい。
【００６１】
また、上記実施の形態において、ガード部４００の移動規制部４１０に竜頭挿通孔４１１を形成し、この竜頭挿通孔４１１に形成されるガードネジ部４１２にロック部５２０のロックネジ部５２３を螺合させることで、竜頭５００をロックする構成としたが、これに限定されない。
例えば、移動規制部４１０に半円形の切欠を設け、この切欠の一部に係止部を形成する。一方、ロック部５２０には係止部に係合可能なフックを設ける。このような構成では、ロック部の係止部を移動規制部４１０のフックに係合させることで竜頭５００がガード部４００にロックされる。
【００６２】
そして、上記実施の形態において、回転操作部６００は、略筒状に形成され、筒内周部において、時計操作部５１０の操作受部５４１に係合する構成としたがこれに限定されない。例えば、操作受部５４１を円筒状または円柱状に形成し、外周面に歯車を形成する。そして、回転操作部は、操作受部５４１の時計上面側（風防側）に設けられ、操作受部５４１の歯車に噛合可能な歯車形状に形成される構成としてもよい。このような構成でも、ロック部５２０に竜頭５００をロックさせた状態で、回転操作部を回転させることで、時計操作部５１０を回転駆動させることが可能であり、かつ竜頭５００のロックが解除された状態で、時計操作部５１０を軸心方向に沿って移動させることができる。
【００６３】
また、時計操作部５１０の操作受部５４１の外径寸法、すなわち断面形状の外接円の径寸法が、竜頭挿通孔４１１の径寸法よりも小さく形成される構成としたが、これに限定されない。
例えば、巻真４１の回転力伝達先を変更するために必要な竜頭５００の引き出し量を確保できる構成であれば、操作受部５４１の外径寸法が竜頭挿通孔４１１の径寸法よりも大きいものであってもよい。この場合、操作受部５４１は、竜頭５００の引き出しにより、操作開口４２０内を移動することとなる。
【００６４】
その他、本発明の実施の際の具体的な構造および手順は、本発明の目的を達成できる範囲で他の構造などに適宜変更できる。
【図面の簡単な説明】
【００６５】
【図１】本発明の第一の実施の形態の時計の平面図である。
【図２】前記時計の香箱車および駆動輪列を示す縦断面図である。
【図３】前記時計の香箱車および駆動輪列を示す別の縦断面図である。
【図４】前記時計の駆動輪列およびローター近傍を示す縦断面図である。
【図５】前記時計の巻真からゼンマイへの接続状態を示す縦断面図である。
【図６】前記時計の操作手段近傍において、竜頭がロックされた状態を示す縦断面図である。
【図７】前記時計の操作手段近傍において、竜頭のロックが解除された状態を示す縦断面図である。
【図８】本発明の第二の実施の形態の時計における操作手段近傍を示す縦断面図である。
【符号の説明】
【００６６】
１，１Ａ…時計、１０…外装ケース、２０…ムーブメント、４１…巻真、１０１…竜頭孔、４００…ガード部、４１１…ロック係合部としての竜頭挿通孔、４１２…ガードネジ部、４２０…操作開口、５００…竜頭、５１０，５１０Ａ…時計操作部、５２０，５２０Ａ…ロック部、５２３…ロックネジ部、５２４…保持孔、５２６…係合凹部、５２７…係止部としての係止突起、５３０…挿通部、５４０…操作頭部、５４４…雌ネジ部、５４６…係合凸部、５５０…固定ネジ、６００…回転操作部。
【図１】
2010139400.tif 000003
【図２】
2010139400.tif 000004
【図３】
2010139400.tif 000005
【図４】
2010139400.tif 000006
【図５】
2010139400.tif 000007
【図６】
2010139400.tif 000008
【図７】
2010139400.tif 000009
【図８】
2010139400.tif 000010